(57)【要約】【課題】強度特性の向上・材料増加の抑制・内部空間の実質的減少防止・製造の簡易化・コストアップの抑制・構造の複雑化回避・組み立て操作の容易性を満足させることのできる厚紙製包装用箱を提供する。【解決手段】両フラップ板１６Ａ・１６Ｂがセンタフラップ片１８Ｘとサイドフラップ片１８Ｙ・１８Ｚに分割される。センタフラップ片１８Ｘが開口部１４の一部を覆う。筒状胴体１２の内面沿いに折り込まれた各サイドフラップ片１８Ｙ・１８Ｚが両開口部１３・１４間にわたる。各サイドフラップ片１８Ｙ・１８Ｚと筒状胴体１２の一部壁面が重壁構造をなす。両フラップ板１６Ａ・１６Ｂが筒状胴体１２の上下両開口部１３・１４を覆うように折り込まれた上位側フラップ板１５Ｃ・１５Ｄと下位側フラップ板１６Ｃ・１６Ｄとの間に介在してそこに挟みこみ保持される。各サイドフラップ片１８Ｙ・１８Ｚが上下フラップ板用の支持スペーサになる。【選択図】図１
2015086006.tif 000002
【特許請求の範囲】
【請求項１】
上面開口部や下面開口部のある角筒状の筒状胴体と、その筒状胴体の上面開口部を覆うための上蓋と、その筒状胴体の下面開口部を覆うための底蓋とを有するものであること、および、
前記底蓋が左右一対のフラップ板と前後一対のフラップ板とを構成要素として備えており、かつ、この二対のフラップ板のうちで、左右一対のフラップ板が前記筒状胴体の左右両側壁の下端に一体形成されて前記下面開口部側へ折り込み自在なものになっているとともに、前後一対のフラップ板が前記筒状胴体の前後両側壁の下端に一体形成されて前記下面開口部側へ折り込み自在なものになっていること
を前提とする厚紙製包装用箱において、
前記二対のフラップ板における任意一対のフラップ板がセンタフラップ片とそのセンタフラップ片の両側に隣接するサイドフラップ片とに分割されており、かつ、この分割された複数のフラップ片のうちで、センタフラップ片が前記筒状胴体の下面開口部側に折り込み自在なものであるとともに、各サイドフラップ片が前記筒状胴体の下面開口部側からその筒状胴体内に折り込み自在なものであること、および、
前記筒状胴体内面の上下方向に沿うように前記各サイドフラップ片が前記筒状胴体内に折り込まれてその折り込み状態の各サイドフラップ片が前記筒状胴体の上下両面の開口部間にわたるものであるとともに、当該折り込み状態の各サイドフラップ片とこれに対面する前記筒状胴体の側壁とが二重以上の重壁構造をなすものであること、および、
前記各サイドフラップ片が前記筒状胴体の上下両面開口部を覆うものから除外されて、その筒状胴体の上下両面開口部が前記上蓋と前記底蓋とで覆われるものであるとともに、前記重壁構造における各サイドフラップ片が、その上下両面開口部を覆う上蓋と底蓋との両蓋内面間に介在してこの上蓋と底蓋とを支持するための支持スペーサになるものであること
を特徴とする厚紙製包装用箱。
【請求項２】
上面開口部や下面開口部のある角筒状の筒状胴体と、その筒状胴体の上面開口部を覆うための上蓋と、その筒状胴体の下面開口部を覆うための底蓋とを有するものであること、および、
前記上蓋が左右一対のフラップ板と前後一対のフラップ板とを構成要素として備えており、かつ、この二対のフラップ板のうちで、左右一対のフラップ板が前記筒状胴体の左右両側壁の上端に一体形成されて前記上面開口部側へ折り込み自在なものになっているとともに、前後一対のフラップ板が前記筒状胴体の前後両側壁の上端に一体形成されて前記上面開口部側へ折り込み自在なものになっていること
を前提とする厚紙製包装用箱において、
前記二対のフラップ板における任意一対のフラップ板がセンタフラップ片とそのセンタフラップ片の両側に隣接するサイドフラップ片とに分割されており、かつ、この分割された複数のフラップ片のうちで、センタフラップ片が前記筒状胴体の上面開口部側に折り込み自在なものであるとともに、各サイドフラップ片が前記筒状胴体の上面開口部側からその筒状胴体内に折り込み自在なものであること、および、
前記筒状胴体内面の上下方向に沿うように前記各サイドフラップ片が前記筒状胴体内に折り込まれてその折り込み状態の各サイドフラップ片が前記筒状胴体の上下両面の開口部間にわたるものであるとともに、当該折り込み状態の各サイドフラップ片とこれに対面する前記筒状胴体の側壁とが二重以上の重壁構造をなすものであること、および、
前記各サイドフラップ片が前記筒状胴体の上下両面開口部を覆うものから除外されて、その筒状胴体の上下両面開口部が前記上蓋と前記底蓋とで覆われるものであるとともに、前記重壁構造における各サイドフラップ片が、その上下両面開口部を覆う上蓋と底蓋との両蓋内面間に介在してこの上蓋と底蓋とを支持するための支持スペーサになるものであること
を特徴とする厚紙製包装用箱。
【請求項３】
上面開口部や下面開口部のある角筒状の筒状胴体と、その筒状胴体の上面開口部を覆うための上蓋と、その筒状胴体の下面開口部を覆うための底蓋とを有するものであること、および、
前記底蓋が左右一対のフラップ板と前後一対のフラップ板とを構成要素として備えており、かつ、この二対のフラップ板のうちで、左右一対のフラップ板が前記筒状胴体の左右両側壁の下端に一体形成されて前記下面開口部側へ折り込み自在なものになっているとともに、前後一対のフラップ板が前記筒状胴体の前後両側壁の下端に一体形成されて前記下面開口部側へ折り込み自在なものになっていること、および、
前記上蓋が左右一対のフラップ板と前後一対のフラップ板とを構成要素として備えており、かつ、この二対のフラップ板のうちで、左右一対のフラップ板が前記筒状胴体の左右両側壁の上端に一体形成されて前記上面開口部側へ折り込み自在なものになっているとともに、前後一対のフラップ板が前記筒状胴体の前後両側壁の上端に一体形成されて前記上面開口部側へ折り込み自在なものになっていること
を前提とする厚紙製包装用箱において、
前記底蓋の構成要素である前記二対のフラップ板のうちで、任意一対のフラップ板がセンタフラップ片とそのセンタフラップ片の両側に隣接するサイドフラップ片とに分割されており、かつ、この分割された複数のフラップ片のうちで、センタフラップ片が前記筒状胴体の下面開口部側に折り込み自在なものであるとともに、各サイドフラップ片が前記筒状胴体の下面開口部側からその筒状胴体内に折り込み自在なものであること、および、
前記筒状胴体内面の上下方向に沿うように前記各サイドフラップ片が前記筒状胴体内に折り込まれてその折り込み状態の各サイドフラップ片が前記筒状胴体の上下両面の開口部間にわたるものであるとともに、当該折り込み状態の各サイドフラップ片とこれに対面する前記筒状胴体の側壁とが二重以上の重壁構造をなすものであること、および、
前記各サイドフラップ片が前記筒状胴体の上下両面開口部を覆うものから除外されて、その筒状胴体の上下両面開口部が前記上蓋と前記底蓋とで覆われるものであるとともに、前記重壁構造における各サイドフラップ片が、その上下両面開口部を覆う上蓋と底蓋との両蓋内面間に介在してこの上蓋と底蓋とを支持するための支持スペーサになるものであること
を特徴とする厚紙製包装用箱。
【請求項４】
上面開口部や下面開口部のある角筒状の筒状胴体と、その筒状胴体の上面開口部を覆うための上蓋と、その筒状胴体の下面開口部を覆うための底蓋とを有するものであること、および、
前記底蓋が左右一対のフラップ板と前後一対のフラップ板とを構成要素として備えており、かつ、この二対のフラップ板のうちで、左右一対のフラップ板が前記筒状胴体の左右両側壁の下端に一体形成されて前記下面開口部側へ折り込み自在なものになっているとともに、前後一対のフラップ板が前記筒状胴体の前後両側壁の下端に一体形成されて前記下面開口部側へ折り込み自在なものになっていること、および、
前記上蓋が左右一対のフラップ板と前後一対のフラップ板とを構成要素として備えており、かつ、この二対のフラップ板のうちで、左右一対のフラップ板が前記筒状胴体の左右両側壁の上端に一体形成されて前記上面開口部側へ折り込み自在なものになっているとともに、前後一対のフラップ板が前記筒状胴体の前後両側壁の上端に一体形成されて前記上面開口部側へ折り込み自在なものになっていること
を前提とする厚紙製包装用箱において、
前記上蓋の構成要素である前記二対のフラップ板のうちで、任意一対のフラップ板がセンタフラップ片とそのセンタフラップ片の両側に隣接するサイドフラップ片とに分割されており、かつ、この分割された複数のフラップ片のうちで、センタフラップ片が前記筒状胴体の上面開口部側に折り込み自在なものであるとともに、各サイドフラップ片が前記筒状胴体の上面開口部側からその筒状胴体内に折り込み自在なものであること、および、
前記筒状胴体内面の上下方向に沿うように前記各サイドフラップ片が前記筒状胴体内に折り込まれてその折り込み状態の各サイドフラップ片が前記筒状胴体の上下両面の開口部間にわたるものであるとともに、当該折り込み状態の各サイドフラップ片とこれに対面する前記筒状胴体の側壁とが二重以上の重壁構造をなすものであること、および、
前記各サイドフラップ片が前記筒状胴体の上下両面開口部を覆うものから除外されて、その筒状胴体の上下両面開口部が前記上蓋と前記底蓋とで覆われるものであるとともに、前記重壁構造における各サイドフラップ片が、その上下両面開口部を覆う上蓋と底蓋との両蓋内面間に介在してこの上蓋と底蓋とを支持するための支持スペーサになるものであること
を特徴とする厚紙製包装用箱。
【請求項５】
前記重壁構造をにおいて、互いに対面して隣接する壁面間に扁平な空間部が介在している請求項１ないし４のいずれかに記載された厚紙製包装用箱。
【請求項６】
前記センタフラップ片と前記各サイドフラップ片との相対関係において、前記センタフラップ片が前記各サイドフラップ片よりも長いものである請求項１ないし５のいずれかに記載された厚紙製包装用箱。
【請求項７】
前記センタフラップ片と前記各サイドフラップ片との相対関係において、前記センタフラップ片と前記各サイドフラップ片とが同等の長さである請求項１ないし５のいずれかに記載された厚紙製包装用箱。
【請求項８】
前記センタフラップ片と前記各サイドフラップ片との相対関係において、前記センタフラップ片が前記各サイドフラップ片よりも短いものである請求項１ないし５のいずれかに記載された厚紙製包装用箱。
【請求項９】
前記センタフラップ片の両側にある前記各サイドフラップ片が互いに分離している請求項１ないし８のいずれかに記載された厚紙製包装用箱。
【請求項１０】
前記センタフラップ片の両側にある前記各サイドフラップ片が該各サイドフラップ片の先端部間にわたる連結片を介して互いに連結されている請求項１ないし８のいずれかに記載された厚紙製包装用箱。
【請求項１１】
前記各サイドフラップ片が、その基端部から先端部に向かうにしたがい広幅になっている請求項１ないし１０のいずれかに記載された厚紙製包装用箱。
【請求項１２】
支持スペーサとなる前記各サイドフラップ片がその先端部に折り込み自在な蓋支持片を有しており、かつ、該各蓋支持片が、これと近接する側にある前記一方の蓋の内面に沿うように折り込まれてその蓋内面に宛がわれるものである請求項１ないし１１のいずれかに記載された厚紙製包装用箱。
【請求項１３】
支持スペーサとなる前記各サイドフラップ片がその先端部に折り込み自在な蓋支持片を有しているとともに、該各蓋支持片が、これと近接する側にある前記一方の蓋の内面に沿うように折り込まれてその蓋内面に宛がわれるものであり、かつ、該各蓋支持片が宛がわれる蓋内面を形成するフラップ板が二重壁からなるとともに、その二重壁の内面側に切欠凹部が形成されてそこに蓋支持片が嵌まり込むものである請求項１ないし１２のいずれかに記載された厚紙製包装用箱。
【請求項１４】
前記切欠凹部を有する前記フラップ板が折り曲げ構造の二重壁からなる請求項１３に記載された厚紙製包装用箱。
【発明の詳細な説明】
【技術分野】
【０００１】
本発明は段ボール紙や板紙（ボール紙）のような厚紙材料からなる折り畳み式の包装用箱に関し、とくに濡れ耐性の確保や耐荷重性の向上を企図して改良された厚紙製包装用箱に関する。
【背景技術】
【０００２】
周知のとおり、野菜など農産品の包装手段として、段ボール紙で代表される板紙製の包装用箱が広く採用されている。かかる板紙製包装用箱が普及しているのは、応分の強度を有するにもかかわらず低コストであること、ストック時に折り畳み状態にすることで省スペース収納が実現すること、製作が簡単であること、使用の際の組み立てが容易であること、リユースやリサイクルが可能であることなど、種々の利点がみられるからである。
【０００３】
従来の野菜包装用段ボール箱で典型的なものについていうと、それは上下両面に開口部のある角筒状の筒状胴体を備えていて、その筒状胴体における上面開口部の周縁や下面開口部の周縁に、上面開口部を覆うための上蓋用フラップ板（四枚）や下位両開口部を覆うための底蓋用フラップ板（四枚）が折り畳み自在に一体形成されているものである。この段ボール箱の場合は、四枚の上蓋用フラップ板を繰り返し開閉する必要から、各フラップ板をステープルやテープで密閉せず、畳折り（たとうおり）と称する重ね折り状態で組み止めるようにしている。より具体的にいうと、四枚ある各上蓋用フラップ板の一端部を、それぞれ隣接する上蓋用フラップ板の一端部下に差し込み、しかも、それを順次時計回り方向に計四回行うというものである。四枚の底蓋用フラップ板についてもこれと同様に行う。
【０００４】
既述のようなステープルレス方式やテープレス方式で閉鎖された底蓋用フラップ板や上蓋用フラップ板の場合、底蓋や上蓋としての構造強度が不足しがちで、閉じ状態の安定性も乏しい傾向にある。さらにいうと、単なる重ね折りで組み止められたにすぎない底蓋用フラップ板や上蓋用フラップ板は、フラップ板相互の閉鎖保持力が弱いために安定した所要の閉鎖状態を確保しがたいものである。また、底蓋用フラップ板は箱内に詰め込まれた被包装物の荷重を受けて外へ膨らみ、上蓋用フラップ板も、上からの荷重を受けた際に箱内へと凹んでしまう。それゆえ、被包装物入り段ボール箱を積み重ねたりした場合、上位段ボール箱の膨らんだ底板で、その下位段ボール箱の蓋板が凹むという事態が起こり、下位段ボール箱内の被包装物を傷つけかねないのである。
【０００５】
一方、下記の特許文献１に開示された段ボール箱についていうと、これは四枚ある上蓋用フラップ板のうちの一部に相対的な掛け止め機能を付加し、それで上蓋用フラップ板相互の閉鎖状態を安定保持するというのである。この文献記載のものは、また、箱体の胴体側面部から立ち上がる各上蓋用フラップの立ち上がり始端が、その胴体側面部の折り目から外れた位置に設定されているので、段ボール箱が歪みにくく、安易な損傷も起こりがたい。その利理由は、箱体側面部を四角形状に組み付けたものに対角線方向の荷重がかかるとしても、当該荷重が各上蓋用フラップを伝って段ボール箱全体に及ぶ事態が少ないからである。
【０００６】
下記の特許文献２に開示された段ボール製包装箱の場合は、四枚の上蓋用フラップをステープルレスの掛け止め構造とすることで、箱詰めされた被包装部（葱など）の傷つきを防止するというのである。この文献記載のフラップ掛け止め構造は、切り込み孔とそこに嵌り込むフラップ角部とがしっかりと対応しているので、上蓋用フラップ相互の閉鎖状態が安定保持できるかにみえる。
【先行技術文献】
【特許文献】
【０００７】
【特許文献１】特開２０１１−０９８７７５号公報
【特許文献２】特開２００３−３１２６３９号公報
【発明の概要】
【発明が解決しようとする課題】
【０００８】
特許文献１に記載された段ボール箱の場合、上蓋用フラップ相互の閉鎖状態が安定保持できる点や、一部の荷重が段ボール箱全体に及びがたい点で望ましいといえる。
【０００９】
とはいえ、特許文献１に記載された段ボール箱には、強度面で改善すべき課題が残されている。その一つは、水平状態（閉じ状態）の上蓋用フラップなどが垂直荷重に耐えがたいことである。ちなみに、閉じ状態の上蓋用フラップ上に過大な垂直荷重が作用したときは、当該フラップが箱内に凹んで被包装部を傷つけたりする。他の一つは、紙特有の耐水性の欠如である。それゆえ紙製からなる段ボール箱の場合、水濡れ厳禁などの条件を課して使用しているが、たとえば、野菜の包装出荷などにおいては、箱詰めした野菜からの滲出液で濡れることが少なくない。具体的一例でいうと、段ボール箱に箱詰めされた長ネギなどは、これからヌタと称される滲出液が出るため、それを吸収した段ボール箱の一部が極度に強度劣化し、箱の変形や破損にまで発展する。それにもかかわらず既成の段ボール箱は、この被包装物からの滲出液に対する濡れ対策が十分になされていない。
【００１０】
特許文献２に記載された段ボール製包装箱も、特許文献１のものと同様の課題が残されている。すなわち、上蓋用フラップなどが垂直荷重に耐えがたい点、また、被包装物からの滲出液に対する濡れ対策が十分でない点が改善すべき課題として残されている。
【００１１】
前記のような課題を解決するとき、構造が複雑化したり使用材料が増加したりする傾向に陥りがちであり、これが原因で包装用箱の製造難度が高くなったり、組み立て操作が難しくなったり、また、製品のコストアップを惹き起こしたりする。それに、補強構造を付加したことで箱の内部空間（収納空間）が減少したり奇形化したりすることもある。
【００１２】
したがって、段ボール箱など紙製の包装用箱について所要の強度向上をはかるというときは、前記のような諸点にも技術的に配慮しなければならない。
【００１３】
本発明は前記のような技術上の課題に鑑み、強度特性の向上・材料増加の抑制・内部空間の実質的な減少防止・製造の簡易化・コストアップの抑制・構造の複雑化回避・組み立て操作の容易性・組み立て状態の安定性など、これらを満足させることのできる厚紙製包装用箱を提供しようとするものである。
【課題を解決するための手段】
【００１４】
本発明に係る厚紙製包装用箱は、所期の目的を達成するための課題解決手段として、下記の第１項ないし第１４項に記載された技術内容を特徴とするものである。
［第１項］
上面開口部や下面開口部のある角筒状の筒状胴体と、その筒状胴体の上面開口部を覆うための上蓋と、その筒状胴体の下面開口部を覆うための底蓋とを有するものであること、および、
前記底蓋が左右一対のフラップ板と前後一対のフラップ板とを構成要素として備えており、かつ、この二対のフラップ板のうちで、左右一対のフラップ板が前記筒状胴体の左右両側壁の下端に一体形成されて前記下面開口部側へ折り込み自在なものになっているとともに、前後一対のフラップ板が前記筒状胴体の前後両側壁の下端に一体形成されて前記下面開口部側へ折り込み自在なものになっていること
を前提とする厚紙製包装用箱において、
前記二対のフラップ板における任意一対のフラップ板がセンタフラップ片とそのセンタフラップ片の両側に隣接するサイドフラップ片とに分割されており、かつ、この分割された複数のフラップ片のうちで、センタフラップ片が前記筒状胴体の下面開口部側に折り込み自在なものであるとともに、各サイドフラップ片が前記筒状胴体の下面開口部側からその筒状胴体内に折り込み自在なものであること、および、
前記筒状胴体内面の上下方向に沿うように前記各サイドフラップ片が前記筒状胴体内に折り込まれてその折り込み状態の各サイドフラップ片が前記筒状胴体の上下両面の開口部間にわたるものであるとともに、当該折り込み状態の各サイドフラップ片とこれに対面する前記筒状胴体の側壁とが二重以上の重壁構造をなすものであること、および、
前記各サイドフラップ片が前記筒状胴体の上下両面開口部を覆うものから除外されて、その筒状胴体の上下両面開口部が前記上蓋と前記底蓋とで覆われるものであるとともに、前記重壁構造における各サイドフラップ片が、その上下両面開口部を覆う上蓋と底蓋との両蓋内面間に介在してこの上蓋と底蓋とを支持するための支持スペーサになるものであること
を特徴とする厚紙製包装用箱。
［第２項］
上面開口部や下面開口部のある角筒状の筒状胴体と、その筒状胴体の上面開口部を覆うための上蓋と、その筒状胴体の下面開口部を覆うための底蓋とを有するものであること、および、
前記上蓋が左右一対のフラップ板と前後一対のフラップ板とを構成要素として備えており、かつ、この二対のフラップ板のうちで、左右一対のフラップ板が前記筒状胴体の左右両側壁の上端に一体形成されて前記上面開口部側へ折り込み自在なものになっているとともに、前後一対のフラップ板が前記筒状胴体の前後両側壁の上端に一体形成されて前記上面開口部側へ折り込み自在なものになっていること
を前提とする厚紙製包装用箱において、
前記二対のフラップ板における任意一対のフラップ板がセンタフラップ片とそのセンタフラップ片の両側に隣接するサイドフラップ片とに分割されており、かつ、この分割された複数のフラップ片のうちで、センタフラップ片が前記筒状胴体の上面開口部側に折り込み自在なものであるとともに、各サイドフラップ片が前記筒状胴体の上面開口部側からその筒状胴体内に折り込み自在なものであること、および、
前記筒状胴体内面の上下方向に沿うように前記各サイドフラップ片が前記筒状胴体内に折り込まれてその折り込み状態の各サイドフラップ片が前記筒状胴体の上下両面の開口部間にわたるものであるとともに、当該折り込み状態の各サイドフラップ片とこれに対面する前記筒状胴体の側壁とが二重以上の重壁構造をなすものであること、および、
前記各サイドフラップ片が前記筒状胴体の上下両面開口部を覆うものから除外されて、その筒状胴体の上下両面開口部が前記上蓋と前記底蓋とで覆われるものであるとともに、前記重壁構造における各サイドフラップ片が、その上下両面開口部を覆う上蓋と底蓋との両蓋内面間に介在してこの上蓋と底蓋とを支持するための支持スペーサになるものであること
を特徴とする厚紙製包装用箱。
［第３項］
上面開口部や下面開口部のある角筒状の筒状胴体と、その筒状胴体の上面開口部を覆うための上蓋と、その筒状胴体の下面開口部を覆うための底蓋とを有するものであること、および、
前記底蓋が左右一対のフラップ板と前後一対のフラップ板とを構成要素として備えており、かつ、この二対のフラップ板のうちで、左右一対のフラップ板が前記筒状胴体の左右両側壁の下端に一体形成されて前記下面開口部側へ折り込み自在なものになっているとともに、前後一対のフラップ板が前記筒状胴体の前後両側壁の下端に一体形成されて前記下面開口部側へ折り込み自在なものになっていること、および、
前記上蓋が左右一対のフラップ板と前後一対のフラップ板とを構成要素として備えており、かつ、この二対のフラップ板のうちで、左右一対のフラップ板が前記筒状胴体の左右両側壁の上端に一体形成されて前記上面開口部側へ折り込み自在なものになっているとともに、前後一対のフラップ板が前記筒状胴体の前後両側壁の上端に一体形成されて前記上面開口部側へ折り込み自在なものになっていること
を前提とする厚紙製包装用箱において、
前記底蓋の構成要素である前記二対のフラップ板のうちで、任意一対のフラップ板がセンタフラップ片とそのセンタフラップ片の両側に隣接するサイドフラップ片とに分割されており、かつ、この分割された複数のフラップ片のうちで、センタフラップ片が前記筒状胴体の下面開口部側に折り込み自在なものであるとともに、各サイドフラップ片が前記筒状胴体の下面開口部側からその筒状胴体内に折り込み自在なものであること、および、
前記筒状胴体内面の上下方向に沿うように前記各サイドフラップ片が前記筒状胴体内に折り込まれてその折り込み状態の各サイドフラップ片が前記筒状胴体の上下両面の開口部間にわたるものであるとともに、当該折り込み状態の各サイドフラップ片とこれに対面する前記筒状胴体の側壁とが二重以上の重壁構造をなすものであること、および、
前記各サイドフラップ片が前記筒状胴体の上下両面開口部を覆うものから除外されて、その筒状胴体の上下両面開口部が前記上蓋と前記底蓋とで覆われるものであるとともに、前記重壁構造における各サイドフラップ片が、その上下両面開口部を覆う上蓋と底蓋との両蓋内面間に介在してこの上蓋と底蓋とを支持するための支持スペーサになるものであること
を特徴とする厚紙製包装用箱。
［第４項］
上面開口部や下面開口部のある角筒状の筒状胴体と、その筒状胴体の上面開口部を覆うための上蓋と、その筒状胴体の下面開口部を覆うための底蓋とを有するものであること、および、
前記底蓋が左右一対のフラップ板と前後一対のフラップ板とを構成要素として備えており、かつ、この二対のフラップ板のうちで、左右一対のフラップ板が前記筒状胴体の左右両側壁の下端に一体形成されて前記下面開口部側へ折り込み自在なものになっているとともに、前後一対のフラップ板が前記筒状胴体の前後両側壁の下端に一体形成されて前記下面開口部側へ折り込み自在なものになっていること、および、
前記上蓋が左右一対のフラップ板と前後一対のフラップ板とを構成要素として備えており、かつ、この二対のフラップ板のうちで、左右一対のフラップ板が前記筒状胴体の左右両側壁の上端に一体形成されて前記上面開口部側へ折り込み自在なものになっているとともに、前後一対のフラップ板が前記筒状胴体の前後両側壁の上端に一体形成されて前記上面開口部側へ折り込み自在なものになっていること
を前提とする厚紙製包装用箱において、
前記上蓋の構成要素である前記二対のフラップ板のうちで、任意一対のフラップ板がセンタフラップ片とそのセンタフラップ片の両側に隣接するサイドフラップ片とに分割されており、かつ、この分割された複数のフラップ片のうちで、センタフラップ片が前記筒状胴体の上面開口部側に折り込み自在なものであるとともに、各サイドフラップ片が前記筒状胴体の上面開口部側からその筒状胴体内に折り込み自在なものであること、および、
前記筒状胴体内面の上下方向に沿うように前記各サイドフラップ片が前記筒状胴体内に折り込まれてその折り込み状態の各サイドフラップ片が前記筒状胴体の上下両面の開口部間にわたるものであるとともに、当該折り込み状態の各サイドフラップ片とこれに対面する前記筒状胴体の側壁とが二重以上の重壁構造をなすものであること、および、
前記各サイドフラップ片が前記筒状胴体の上下両面開口部を覆うものから除外されて、その筒状胴体の上下両面開口部が前記上蓋と前記底蓋とで覆われるものであるとともに、前記重壁構造における各サイドフラップ片が、その上下両面開口部を覆う上蓋と底蓋との両蓋内面間に介在してこの上蓋と底蓋とを支持するための支持スペーサになるものであること
を特徴とする厚紙製包装用箱。
［第５項］
前記重壁構造をにおいて、互いに対面して隣接する壁面間に扁平な空間部が介在している前記第１項ないし前記第４項のいずれかに記載された厚紙製包装用箱。
［第６項］
前記センタフラップ片と前記各サイドフラップ片との相対関係において、前記センタフラップ片が前記各サイドフラップ片よりも長いものである前記第１項ないし前記第５項のいずれかに記載された厚紙製包装用箱。
［第７項］
前記センタフラップ片と前記各サイドフラップ片との相対関係において、前記センタフラップ片と前記各サイドフラップ片とが同等の長さである前記第１項ないし前記第５項のいずれかに記載された厚紙製包装用箱。
［第８項］
前記センタフラップ片と前記各サイドフラップ片との相対関係において、前記センタフラップ片が前記各サイドフラップ片よりも短いものである前記第１項ないし前記第５項ののいずれかに記載された厚紙製包装用箱。
［第９項］
前記センタフラップ片の両側にある前記各サイドフラップ片が互いに分離している前記第１項ないし前記第８項のいずれかに記載された厚紙製包装用箱。
［第１０項］
前記センタフラップ片の両側にある前記各サイドフラップ片が該各サイドフラップ片の先端部間にわたる連結片を介して互いに連結されている前記第１項ないし前記第８項のいずれかに記載された厚紙製包装用箱。
［第１１項］
前記各サイドフラップ片が、その基端部から先端部に向かうにしたがい広幅になっている前記第１項ないし前記第１０項のいずれかに記載された厚紙製包装用箱。
［第１２項］
支持スペーサとなる前記各サイドフラップ片がその先端部に折り込み自在な蓋支持片を有しており、かつ、該各蓋支持片が、これと近接する側にある前記一方の蓋の内面に沿うように折り込まれてその蓋内面に宛がわれるものである前記第１項ないし前記第１１項のいずれかに記載された厚紙製包装用箱。
［第１３項］
支持スペーサとなる前記各サイドフラップ片がその先端部に折り込み自在な蓋支持片を有しているとともに、該各蓋支持片が、これと近接する側にある前記一方の蓋の内面に沿うように折り込まれてその蓋内面に宛がわれるものであり、かつ、該各蓋支持片が宛がわれる蓋内面を形成するフラップ板が二重壁からなるとともに、その二重壁の内面側に切欠凹部が形成されてそこに蓋支持片が嵌まり込むものである前記第１項ないし前記第１２項のいずれかに記載された厚紙製包装用箱。
［第１４項］
前記切欠凹部を有する前記フラップ板が折り曲げ構造の二重壁からなる前記第１３項に記載された厚紙製包装用箱。
【発明の効果】
【００１５】
本発明に係る厚紙製包装用箱は下記の効果１〜効果１１を有するものである。
［効果１：強度向上］
本発明厚紙製包装用箱において、筒状胴体の上面開口部を覆うための上蓋、および／または、筒状胴体の下面開口部を覆うための底蓋は、対をなすフラップ板で構成されているものである。さらに、一対のフラップ板については、センタフラップ片とサイドフラップ片とに分割されている。このフラップ片のうちで、筒状胴体の内面に沿うようにその筒状胴体内に折り込まれて上下両開口部間にわたる各サイドフラップ片の場合、これと対面する前記筒状胴体の側壁と共同して重壁構造をなし、しかも、閉じ状態おける上蓋や底蓋の支持スペーサにもなる。自明のとおり、垂直な重壁構造の場合は、垂直な単層壁構造に比して垂直荷重に対する耐荷重性が圧倒的に高く座屈しがたいものである。また、包装用箱の枢要なコーナ部の強度も担う。かかる本発明包装用箱の場合、所定の重壁構造を有していてそれがコーナ部の構成要素としても機能するのであるから、既成の箱（単層壁構造）と対比において、垂直荷重に対する耐荷重性が飛躍的に向上する。
［効果２：強度向上］
本発明厚紙製包装用箱の場合、もちろん野菜などの包装にも適用することができる。この野菜包装で野菜から浸出液が出るとしても、重壁構造のものは単層壁構造などにない特有の濡れ耐性を発揮する。その理由の一つは、浸出液で一つの壁が濡れるとしてもそれが一壁のみにとどまり、他の一つの壁が濡れのない状態を呈するからである。このときは、濡れをきたしていない壁が応分の強度を発揮することで健全な包装機能が維持される。理由の他の一つは、複数の壁が浸出液を分散吸収することで、濡れに起因した一壁あたりの強度劣化程度が小さいものになるからである。このときは、壁が複数あることや各壁の濡れ強度劣化程度が小さいことで健全な包装機能が維持される。
［効果３：強度向上］
前記の各サイドフラップ片が、その基端部から先端部に向かうにしたがい広幅となっているものの場合は、該各サイドフラップ片の広幅先端部で上蓋用または底蓋用のフラップ板をしっかりと受け止め支持することができる。ゆえにこの場合は、包装用箱のさらなる強度向上に貢献することができる。
［効果４：強度向上］
折り込み状態にある前記各サイドフラップ片とこれに対面する前記筒状胴体の側壁とがなす前記重壁構造において、互いに対面して隣接する壁面間に扁平な空間部が介在しているものの場合は、その空間部が介在している分だけ、上蓋用フラップ板や底蓋用フラップ板を広く安定に支持することができるので、これも包装用箱の強度向上に貢献することとなる。
［効果５：強度向上］
前記センタフラップ片の両側にある前記各サイドフラップ片が該各サイドフラップ片の先端部間にわたる連結片を介して互いに連結されているものの場合、該各サイドフラップ片が連結によって構造物強度を増すため、非連結のときよりも高強度になる。よって、上蓋用フラップ板や底蓋用フラップ板を安定支持するための支持スペーサとしてより望ましいものになる。
［効果６：強度向上］
前記各サイドフラップ片について、これが先細り形状をしたものはその先端部が脆弱になりがちである。これに対し、該各サイドフラップ片が基端部から先端部に向かうにしたがい広幅になっているものは、その先端部が十分な幅を有することで実用に耐えるので望ましいものになる。
［効果７：安定支持］
先端部に折り込み自在な蓋支持片を有する前記各サイドフラップ片の場合、その蓋支持片が、これと近接する側にある前記一方の蓋の内面に沿うように折り込まれて蓋内面に宛がわれるものである。一方で蓋支持片のないサイドフラップ片の場合、これは面積の小さいサイドフラップ片先端面が蓋内面に宛がわれるだけである。もちろんこの両者については自明のとおり、支持面積の大きな蓋支持片をもつサイドフラップ片が、支持機能の点で優れている。ゆえに、支持面積の大きな蓋支持片を有するサイドフラップ片の場合、その支持面積の大きな蓋支持片に依存し、蓋を広面積にて安定支持することができる。
［効果８：安定支持］
前記蓋支持片を有する前記各サイドフラップ片との相対構成として、蓋支持片が宛がわれるフラップ板が二重壁からなる場合は、当該二重壁フラップ板の内面側に切欠凹部が形成されてそこに蓋支持片が嵌まり込むものである。所定の蓋支持においてこの切欠凹部に嵌まり込む前記各サイドフラップ片の蓋支持片はずれ動かない。よって、前記各サイドフラップ片による所定の蓋支持状態が安定する。
［効果９：組み立て操作の容易性］
前記切欠凹部を有する前記二重壁フラップ板について、これが折り曲げ構造の二重壁からなる場合、単純な折り曲げによって所要の二重壁が得られるので、厚紙製包装用箱を組み立てるときの操作を容易にすることができる。
［効果１０：強度向上］
前記各サイドフラップ片は、前記各蓋支持片を折り込んだ状態すなわち所定の蓋支持状態において一部がアングル形状をなすものである。かかるアングル形状は、このサイドフラップ片の強度を高めることとなる。さらに、二重壁からなる前記フラップ板も、その二重壁ゆえに強度が大きい。これらの強度向上要因は、組み立てられた厚紙製包装用箱を高強度のものにする。
［効果１１：材料増加の抑制］
本発明厚紙製包装用箱で前記各サイドフラップ片とを利用した重壁構造の場合、前後両フラップ板の一部を利用して形成されるものである。これは別途に材料を要するというものでないから、材料の増加を抑制することができる。
［効果１２：材料増加の抑制］
前記二重壁フラップ板には前記切欠凹部が形成されていたりする。この場合における二重壁構成には自明の強度向上効果がある。さらに、これに形成された切欠凹部には、前記各サイドフラップ片の蓋支持片を安定に保持する効果がある。これは切欠凹部を有する二重壁フラップ板に有用な二つの機能が備わっているということである。さらにいうと、一つの構成部材（構成要素）で二つの機能をまかなうことができるので、これによっても材料の増加を抑制することができる。
［効果１３：容積減少の回避］
本発明厚紙製包装用箱で前記筒状胴体の側壁と前記サイドフラップ片とによる重壁構造は、サイドフラップ片（前後両フラップ板の分割片）が折り込まれて筒状胴体の一部壁面とそのサイドフラップ片とが対面するというものであり、しかも、箱の内面に接触または近接してその筒状胴体の内面に沿うというものである。この場合に折り込み状態を呈するサイドフラップ片は、扁平な形状構造で筒状胴体の内面に沿うものであるから嵩張りがほとんどなく、これが箱内空間（容積減少）に与える影響（空間占有率）も無視できるほど小さい。前記二重壁フラップ板も同様に嵩張りがないものである。したがって本発明厚紙製包装用箱の場合、前記重壁構造を有するといえども、これに起因して内容積が実質的に減じられることがないのである。すなわち当該包装用箱の場合、前記重壁構造による箱の容積減少ないし容量減少についても、実用上影響のない程度に回避することができる。
［効果１４：製造の簡易化］
本発明厚紙製包装用箱で前記一方の重壁構造は、既述のとおり、前後両フラップ板を分割して所要のサイドフラップ片をつくり、それを折り込むだけでよいものである。これは格別の技術難度をともなうことなくこの重壁構造の作製が行えるということである。さらに、包装用箱全体からみた場合の前記重壁構造にしても、単純な切り込みを入れたり単純な折り込みを施したりするだけでよいので、この高強度の包装用箱を簡易に製造することができる。本発明厚紙製包装用箱で前記他方の重壁構造も、その具体的一例として折り曲げ構造の二重壁からなるので、この包装用箱の製造を簡易なものにする。
［効果１５：構造の複雑化の回避］
本発明厚紙製包装用箱の場合、前後両フラップ板の分割で一つのセンタフラップ片と二つのサイドフラップ片とをつくり、そのうちのサイドフラップ片を折り込むだけで高強度化のための前記一方の重壁構造が得られるのである。これは前後一対のフラップ板や左右一対のフラップ板を備えた既成の包装用箱において、単純な分割構成と単純な折り込み構成と導入するだけでよいから、包装用箱の高強度を確保する際の構造の複雑化を回避することができる。折り曲げ構造の二重壁からなる前記他方の重壁構造も、包装用箱の高強度を確保する際の構造の複雑化を回避することができる。
［効果１６：組み立て操作の容易性］
本発明厚紙製包装用箱の場合、前記各重壁構造については、それぞれ、所定の部材を単純に折り込むだけでよいから、箱の組み立て操作も頗る容易に行えることとなる。
［効果１７：組み立て操作の容易性］
前記センタフラップ片と前記各サイドフラップ片との相対関係において、センタフラップ片が各サイドフラップ片よりも長いものである場合は、これらの先端に段差が生じる。各フラップ片相互にこのような段差があるときは、各フラップ片の折り込み操作に際し、センタフラップ片を選択的に把持したりサイドフラップ片を選択的に把持したりすることが的確に行えるので、これも箱の容易な組み立てに貢献する。
［効果１８：コストアップの抑制］
本発明は高強度の厚紙製包装用箱を得るときに、材料増加の抑制・構造の複雑化回避・製造の簡易化などをはかるものであるから、その相乗効果として、かかる高強度包装用箱のコストアップを抑制することができる。
【図面の簡単な説明】
【００１６】
【図１】本発明の第一実施形態に係る厚紙製包装用箱について、上側フラップ板を開いた状態の上面斜視図である。
【図２】図１の厚紙製包装用箱について、上側フラップ板を閉じた状態の上面斜視図である。
【図３】図２のIII−III線に沿う断面図である。
【図４】図２のIV−IV線に沿う断面図である。
【図５】図１に例示された厚紙製包装用箱の展開図である。
【図６】本発明の第一実施形態に係る厚紙製包装用箱について、その変形例を示した要部縦断正面図である。
【図７】本発明の第二実施形態に係る厚紙製包装用箱について、上側フラップ板を開いた状態の上面斜視図である。
【図８】図７の厚紙製包装用箱について、上側フラップ板を閉じた状態の上面斜視図である。
【図９】図８のIX−IX線に沿う断面図である。
【図１０】図８のＸ−Ｘ線に沿う断面図である。
【図１１】図７に例示された厚紙製包装用箱の展開図である。
【発明を実施するための形態】
【００１７】
はじめに、本発明に係る厚紙製包装用箱の実施形態について図１〜図５に例示されたものを説明する。
【００１８】
図１〜図４に例示された包装用箱１１は、折り込み可能ないし折り畳み可能な厚紙たとえば周知の段ボール紙または周知の板紙（ボール紙）からなるものである。その典型的一例として、当該包装用箱１１はライナーと中芯原紙（波状板紙）とで構成された段ボール紙からなる。
【００１９】
図１〜図４を参照して明らかなとおり、厚紙製とした包装用箱１１の筒状胴体１２は四角形の角筒状からなる。したがって、この筒状胴体１２の上下両面にはそれぞれ四角形をした開口部１３・１４がある。
【００２０】
包装用箱１１の筒状胴体１２において、その上面開口部１３の周縁には、左右一対のフラップ板１５Ａ・１５Ｂと前後一対のフラップ板１５Ｃ・１５Ｄとが折り畳み自在に一体形成されており、かつ、その下面開口部１４の周縁に、は左右一対のフラップ板１６Ａ・１６Ｂと前後一対のフラップ板１６Ｃ・１６Ｄとが折り畳み自在に一体形成されている。  
【００２１】
包装用箱１１において、左右一対のフラップ板１５Ａ・１５Ｂと前後一対のフラップ板１５Ｃ・１５Ｄは当該包装用箱１１の上蓋をなすものであり、かつ、左右一対のフラップ板１６Ａ・１６Ｂと前後一対のフラップ板１６Ｃ・１６Ｄは当該包装用箱１１の底蓋をなすものである。
【００２２】
筒状胴体１２の上面開口部１３側にある左右一対のフラップ板１５Ａ・１５Ｂや前後一対のフラップ板１５Ｃ・１５Ｄには、この各フラップ板１５Ａ〜１５Ｄを互いに掛け止めしたりそれを解除したりするためのロック用スリット１７Ａ・１７Ｂとロック片１７Ｃ・１７Ｄとが相対形成されている。より具体的にいうと、ロック用スリット１７Ａ・１７Ｂやロック片１７Ｃ・１７Ｄはそれぞれ四つずつ形成されている。このうちで、ロック用スリット１７Ａ・１７Ｂの場合は、略ハの字状をなす二つの傾斜状切り込みを左側フラップ板１５Ａの前後両端部近傍に入れること、また、同様の傾斜状切り込みを右側フラップ板１５Ｂの前後両端近傍部にも入れることで、両フラップ板１５Ａ・１５Ｂの所定部位に形成されている。このロック用スリット１７Ａ・１７Ｂの場合は、さらに、後述するロック片１７Ｃ・１７Ｄの差し込みを容易にするためにその入口側のスリット幅が末広がりに拡大されている。前記ロック用スリット１７Ａ・１７Ｂと掛け止め自在に対応するロック片１７Ｃ・１７Ｄの場合は、前側フラップ板１５Ｃの左右両端部にある先細り傾斜部の先端側を半円形で左右に突出させること、また、後側フラップ板１５Ｄの左右両端部にある先細り傾斜部の先端側も同様に突出させることで、両フラップ板１５Ｃ・１５Ｄの所定部位に形成されている。
【００２３】
包装用箱１１の上面開口部１３側にある左右一対のフラップ板１５Ａ・１５Ｂや前後一対のフラップ板１５Ｃ・１５Ｄは、その上面開口部１３を閉じるための上蓋として機能するものである。この上蓋用の各フラップ板１５Ａ〜１５Ｄと、後述する底蓋用の各フラップ板１６Ａ〜１６Ｄとの関係でいうと、底蓋用の各フラップ板１６Ａ〜１６Ｄが先行して閉じられてから、上蓋用の各フラップ板１５Ａ〜１５Ｄが閉じられるのが一般である。
【００２４】
図１の開き状態にある包装用箱１１の上面開口部１３は各フラップ板１５Ａ〜１５Ｄを図２のように折り込むことで閉じられる。すなわち上面開口部１３を閉じるとき、前後両フラップ板１５Ｃ・１５Ｄの左右両側部にあるロック片１７Ｃ・１７Ｄが左右両フラップ板１５Ａ・１５Ｂの前後両側部にあるロック用スリット１７Ａ・１７Ｂ内に差し込まれるのである。かくて閉じ状態の各フラップ板１５Ａ〜１５Ｄが図２の相対的な掛け止め状態になる。この掛け止め状態は、通常、各フラップ板１５Ａ〜１５Ｄに意図的な開放力を加えないかぎり解除されることがない。ゆえに、ロック用スリット１７Ａ・１７Ｂとロック片１７Ｃ・１７Ｄとの掛け止めで閉じ状態を保持された各フラップ板１５Ａ〜１５Ｄの場合、これが不本意に開放されるような事態は起こりがたい。
【００２５】
包装用箱１１の上面開口部１３が図１のように閉じられているとき、包装用箱１１の上面側には図２で明らかな残存開口部１３ａが生じている。これは残存開口部１３ａが生じることを企図して各フラップ板１５Ａ〜１５Ｄの大きさを設定しているからである。この残存開口部１３ａは、各フラップ板１５Ａ〜１５Ｄが閉じ状態にあるとき、ここを出し入れ口として被包装物を出し入れすることができる。
【００２６】
包装用箱１１の下面開口部１４側にある左右一対のフラップ板１６Ａ・１６Ｂや前後一対のフラップ板１６Ｃ・１６Ｄのうち、前後一対のフラップ板１６Ｃ・１６Ｄの場合は、この二枚を所定の閉じ方向へ折り込むことで、下面開口部１４を全閉することができるものである。すなわち、前側フラップ板１６Ｃや後側フラップ板１６Ｄについては、周知のフラップ板と同様、〔［下面開口部１４の開口面積］×［１／２］〕という表面積で長方形をなしているものである。これに対し、左側フラップ板１６Ａや右側フラップ板１６Ｂの場合は、それぞれが一つのセンタフラップ片１８Ｘとそのセンタフラップ片１８Ｘに両隣する二つのサイドフラップ片１８Ｙ・１８Ｚとの三片に分割されている。より具体的にいうと、左右両側のフラップ板１６Ａ・１６Ｂは、それぞれ、［センタフラップ片１８Ｘの幅］＞［サイドフラップ片１８Ｙの幅］＝［サイドフラップ片１８Ｚの幅］という態様で三片に分割されているものである。さらに、かかる三片の一例についていうと、それは〔［センタフラップ片１８Ｘの幅］×［１／２］〕≒［サイドフラップ片１８Ｙの幅］＝［サイドフラップ片１８Ｚの幅］という関係式を満たすものである。
【００２７】
左右両側のフラップ板１６Ａ・１６Ｂを、一つのセンタフラップ片１８Ｘと二つのサイドフラップ片１８Ｙ・１８Ｚとの三片に分割するときは自明のとおり、これら三片の境界部位に所定方向の切り込み（切り込み線）が施される。この場合の切り込み線は、下面開口部１４の左側縁や右側縁に対して直交するものであってもよいが、図１〜図４に例示されたものは下面開口部１４の左側縁や右側縁に対して斜交している。この「斜交」の語は「斜交い」の語と同義である。さらにいうと、この斜交切り込み線で形成される各サイドフラップ片１８Ｙ・１８Ｚの場合は、その基端部から先端部に向かうにしたがい広幅になるものである。センタフラップ片１８Ｘの場合は、これとは相対的に、その基端部から先端部に向かうにしたがい細幅になっている。下面開口部１４の左側縁や右側縁に対する斜交切り込み線の斜交角度θ（図５参照）は、１００〜１１５度の範囲内にあり、その斜交角度θの代表的一例は１０５度である。
【００２８】
前記各フラップ片１８Ｘ・１８Ｙ・１８Ｚについては、下面開口部１４の左側縁や右側縁から各フラップ片先端までの距離（寸法）が、これらの「長さ」に該当する。この長さに関する実施態様としては、「各フラップ片１８Ｘ・１８Ｙ・１８Ｚが等長」というものと「各フラップ片１８Ｘ・１８Ｙ・１８Ｚが不等長」というものとがある。このうちで、各フラップ片１８Ｘ・１８Ｙ・１８Ｚが等長の場合はこれらの先端が段差なく揃う。これに対し、センタフラップ片１８Ｘとサイドフラップ片１８Ｙ・１８Ｚとのうちのいずれか一方が長くて各フラップ片が不等長の場合はこれらの先端に段差が生じて不揃いになる。図１〜図４の例では、センタフラップ片１８Ｘが各サイドフラップ片１８Ｙ・１８Ｚよりも長いものであるため、これらの先端に段差が生じている。各フラップ片相互にこのような段差があるときは、既述のとおり、各フラップ片の折り込み操作時にセンタフラップ片１８Ｘを選択的に把持したりサイドフラップ片１８Ｙ・１８Ｚを選択的に把持したりすることが的確に行える。
【００２９】
上述したフラップ板１５Ａ〜１５Ｄやフラップ板１６Ａ〜１６Ｄ（フラップ片１８Ｘ・１８Ｙ・１８Ｚも含む）の折り込み線ないし折り込み箇所は、図５を参照してつぎのとおりである。各フラップ板１５Ａ・１５Ｂ・１５Ｃ・１５Ｄ・１６Ｃ・１６Ｄの場合は、このそれぞれに一つの山折り用折り込み線（折り込み箇所）１９ａがある。センタフラップ片１８Ｘの場合も、同様の折り込み線１９ａが一つだけある。これに対して、各サイドフラップ片１８Ｙ・１８Ｚの場合は前記折り込み線１９ａのほか、当該折り込み線１９ａと平行な他の一つの折り込み線（折り込み箇所）１９ｂがある。これ以外として、後述する連結片２０にも折り込み線（折り込み箇所）１９ｃがあり、筒状胴体１２の各構成要素にもこれを筒状に折り込むための折り込み線（折り込み箇所）１９ｄがある。
【００３０】
包装用箱１１の筒状胴体１２は前後左右の四壁で構成されているものである。これについて図５の包装用箱展開図を参照すると、同図の左側から右側に向けて前側壁用の段ボール紙と右側壁用の段ボール紙と後側壁用の段ボール紙と左側壁用の段ボール紙とが横一連で連なり、これら各段ボール紙の上下両縁に上下のフラップ板１５Ａ・１５Ｂ・１５Ｃ・１５Ｄ・１６Ａ・１６Ｂ・１６Ｃ・１６Ｄがそれぞれ一体化されているものである。そして前側壁用段ボール紙の端縁には、その端縁から突出する筒状胴体形成用の連結片２０が一体形成されている。この場合における包装用箱１１の各構成要素は、それぞれの境界部位が山折り用の折り込み線（折り込み箇所）となっている。図５の展開状態において筒状胴体１２を角筒状に組み立てるときは、前側壁用・右側壁用・後側壁用・左側壁用の各段ボール紙を四角形の筒状に折り込んだ後、前側壁用段ボール紙の端縁にある連結片２０を左側壁用段ボール紙の端部内面にあてがい、この双方の段ボール紙を相互に止め付ければよい。この際の止め付けは、接着剤によるもの・ステープルによるもの・接着用テープによるものなど、いずれでもよいが、その代表的一例として合成系接着剤による止め付け手段が採用される。
【００３１】
包装用箱１１の下面開口部１４側にある左右一対のフラップ板１６Ａ・１６Ｂや前後一対のフラップ板１６Ｃ・１６Ｄは、その下面開口部１４を閉じるための底として機能するものである。それで、開き状態にあるときの包装用箱１１の下面開口部１４は、各フラップ板１６Ａ〜１６Ｄを図１・図２のように折り込むことで閉じられる。その手順は一例として以下のとおりである。
【００３２】
はじめは、一つのセンタフラップ片１８Ｘや二つのサイドフラップ片１８Ｙ・１８Ｚを有する左右一対のフラップ板１６Ａ・１６Ｂが下面開口部１４側に向けて折り込まれる。より詳しくいうと、両フラップ板１６Ａ・１６Ｂのセンタフラップ片１８Ｘは、前記折り込み線１９ａにしたがい、筒状胴体１２の左右両側壁と直角をなすように折り込まれる。これに対して、両フラップ板１６Ａ・１６Ｂの各二つのサイドフラップ片１８Ｙ・１８Ｚは、前記折り込み線１９ａにしたがい、筒状胴体１２の左右両側壁と直角をなすように折り込まれた後、前記折り込み線１９ｂにしたがい、筒状胴体１２の左右両側壁内面と対面平行するように折り込まれる。これについて図３・図４を参照すると、このように折り込まれた各サイドフラップ片１８Ｙ・１８Ｚには、細幅の底壁構造をなす支持部Ｙ１・Ｚ１や筒状胴体１２の左右両側壁内面と対面して立ち上がる内壁部Ｙ２・Ｚ２が生じており、かつ、筒状胴体１２の左右両側壁内面と両内壁部Ｙ２・Ｚ２内面との間には、扁平な空間部Ｙ３・Ｚ３が介在している。
【００３３】
ついで、前後一対のフラップ板１６Ｃ・１６Ｄが下面開口部１４側に向けて折り込まれることにより、当該開口部１４が閉じられる。この折り込み状態の両フラップ板１６Ｃ・１６Ｄは、先行して折り込まれたセンタフラップ片１８Ｘや内壁部Ｙ２・Ｚ２と上下に重なり合うものである。下面開口部１４を閉じるところの当該折り込み状態は、両フラップ板１６Ｃ・１６Ｄ相互の止め付け、および／または、両フラップ板１６Ｃ・１６Ｄとセンタフラップ片１８Ｘとの止め付けによって保持される。この際の止め付けも、接着剤・ステープル・接着用テープなどいずれでもよいが、その代表的一例としてステープルによる止め付け手段が採用される。
【００３４】
前記の包装用箱１１は、一例として図１〜図４に示すような態様で上下の開口部１３・１４が閉じられる。しかもこの場合、上側にある左右一対のフラップ板１５Ａ・１５Ｂと下側にある左右一対のフラップ板１６Ａ・１６Ｂとの間には、上下方向の支持スペーサとして、各サイドフラップ片１８Ｙ・１８Ｚの内壁部Ｙ２・Ｚ２が介在するのである。その結果、包装用箱１１の構造上枢要となる四角部の近傍には、筒状胴体１２の一部壁面と内壁部Ｙ２・Ｚ２とによる重壁構造として、空間部Ｙ３・Ｚ３までも付帯するものが構築されるのである。かかる重壁構造を具備する包装用箱１１の場合は、当該重壁構造に依存して強度向上効果を発揮したり濡れに対する既述の耐性効果を発揮したりすることとなる。もちろんこの包装用箱１１は、各種の被包装物に適用できるものであるが、とくに浸出液の生じる野菜などを被包装物として収納包装する場合に好適なものとなる。
【００３５】
図１〜図５に例示した実施形態の変形例として、既述の空間部Ｙ３・Ｚ３が省略されるものもある。この例の場合は、各サイドフラップ片１８Ｙ・１８Ｚが筒状胴体１２の左右両側壁面と密接するように折り込まれて内壁部Ｙ２・Ｚ２が形成される。こうした内壁部Ｙ２・Ｚ２も、上側にある左右一対のフラップ板１５Ａ・１５Ｂと下側にある左右一対のフラップ板１６Ａ・１６Ｂとの間に上下方向の支持スペーサとして介在し、それによって前記重壁構造の一部を担うこととなる。
【００３６】
つぎに、本発明に係る厚紙製包装用箱について、上記実施形態の変形を図６に基づいて以下説明する。
【００３７】
図６（Ａ）に例示された包装用箱１１は、各サイドフラップ片１８Ｙ・１８Ｚが前例よりも長く形成されているものである。この長い各サイドフラップ片１８Ｙ・１８Ｚは、包装用箱１１の筒状胴体１２内に二重壁の態様で折り込まれるので、それによって二重壁構造の内壁部Ｙ２・Ｚ２が形成される。この二重壁構造の内壁部Ｙ２・Ｚ２が筒状胴体１２の左右両側壁面と対面してこれと重なり合ったとき、包装用箱１１の四角部の近傍には、三重壁の前記重壁構造が構築されることとなる。
【００３８】
図６（Ａ）に例示された包装用箱１１の場合、二重壁構造からなる内壁部Ｙ２・Ｚ２の内面側が筒状胴体１２の左右両側壁面と接触しているが、これについては、内壁部Ｙ２・Ｚ２の内面側と筒状胴体左右両側壁面との間に、既述の空間部Ｙ３・Ｚ３が設定されるという例もある。また、内壁部Ｙ２・Ｚ２については、図６（Ｂ）で示すように先端部Ｐが上下方向の中間部に位置するものもある。
【００３９】
既述の図示例で示した包装用箱１１の場合、上側フラップ板１５Ａ〜１５Ｄの閉じ状態において残存開口部１３ａを生じるものであったが、この上側フラップ板１５Ａ〜１５Ｄについては、残存開口部１３ａの生じない上面全閉型であってもよい。さらに、既述の図示例では、包装用箱１１の下側にある左右一対のフラップ板１６Ａ・１６Ｂを三分割して一つのセンタフラップ片１８Ｘと二つのサイドフラップ片１８Ｙ・１８Ｚとを形成し、そのうちの各サイドフラップ片１８Ｙ・１８Ｚを活用して前記重壁構造を包装用箱１１内に構築したが、これに変わる実施形態として、包装用箱１１の上側にある左右一対のフラップ板１５Ａ・１５Ｂを三分割して一つのセンタフラップ片と二つのサイドフラップ片とを形成し、そのうちの各サイドフラップ片を活用して所要の重壁構造を包装用箱１１内に構築してもよい。
【００４０】
図１〜図６に示された包装用箱１１の形態は一例にすぎないものであるから、この包装用箱１１には、各種の直方体形状や立方体形状のものがある。その種の包装用箱１１の形態について一部の例をあげると、それは箱の幅をＢ、箱の高さをＨ、箱の奥行きをＬとした場合に、下記（１）〜（13）の式を満足させるものからなる。
Ｂ＝Ｈ＝Ｌ………（１），Ｂ＞Ｈ＝Ｌ………（２），
Ｂ＝Ｈ＞Ｌ………（３），Ｂ＞Ｈ＞Ｌ………（４），
Ｂ＞Ｌ＞Ｈ………（５），Ｈ＞Ｂ＝Ｌ………（６），
Ｈ＝Ｂ＞Ｌ………（７），Ｈ＞Ｂ＞Ｌ………（８），
Ｈ＞Ｌ＞Ｂ………（９），Ｌ＞Ｂ＝Ｈ………（10），
Ｌ＝Ｂ＞Ｈ………（11），Ｌ＞Ｂ＞Ｈ………（12），Ｌ＞Ｈ＞Ｂ………（13）．
【００４１】
つぎに、本発明に係る厚紙製包装用箱の実施形態について、図７〜図１１に例示されたものを説明する。
【００４２】
図７〜図１０に例示された包装用箱１１の材料ないし材質は前例のものと同じである。さらに、図７〜図１０に例示された包装用箱１１の基本的構成も、図１〜図６の前例で説明した内容と実質的に同じである。ただし、上側の各フラップ板１５Ａ〜１５Ｄおよび下側の各フラップ板１６Ａ〜１６Ｄについては一部の構成が前例のそれと相違するものである。以下その相違点を主体にして図７〜図１０の包装用箱１１を明らかにする。
【００４３】
図７〜図１０に例示された包装用箱１１の筒状胴体１２において、上面開口部１３の周縁に上蓋として一体形成された左右一対のフラップ板１５Ａ・１５Ｂや前後一対のフラップ板１５Ｃ・１５Ｄはいずれも折り畳み自在なものであり、かつ、下面開口部１４の周縁に底蓋として一体形成された左右一対のフラップ板１６Ａ・１６Ｂや前後一対のフラップ板１６Ｃ・１６Ｄも折り畳み自在なものである。
【００４４】
図７〜図１０に例示された左右一対のフラップ板１５Ａ・１５Ｂのうちで一方のフラップ板１５Ａは、二つ折り可能に連続した二つのフラップ片１５Ａ１・１５Ａ２からなり、かつ、他方のフラップ板１５Ａも、二つ折り可能な二つの連続したフラップ片１５Ｂ１・１５Ｂ２からなる。この一対のフラップ板１５Ａ・１５Ｂは二つ折りで折り重ねることにより二重壁構造の蓋をなすものである。上記図示例のものにおいて、フラップ片１５Ａ１とフラップ片１５Ａ２との境界部には二本の平行した折り込み線１９ｅが施されており、そこが折り込み箇所となっている。二本の折り込み線１９ｅの平行間隔は、［フラップ片１５Ａ１の厚さ＋フラップ片１５Ａ２の厚さ］とほぼ等しくなるように設定されている。フラップ片１５Ｂ１とフラップ片１５Ｂ２との境界部にも、上記と同じ態様で二本の平行した折り込み線１９ｅが施されており、そこが折り込み箇所となっている。かかるフラップ片１５Ａ１やフラップ片１５Ｂ１は、また、フラップ片１５Ａ２やフラップ片１５Ｂ２との境界部にあるに折り込み線１９ｅの両端部に向けて円弧形状や切り込み線でトリミングされている。一方でフラップ片１５Ａ２には、切り欠きまたは貫通孔あるいは凹みなどによる切欠凹部２１Ａが形成されており、フラップ片１５Ｂ２にも切り欠きまたは貫通孔あるいは凹みなどによる切欠凹部２１Ｂが形成されている。この切欠凹部２１Ａ・２１Ｂについては単に凹部ということもある。ちなみに、切り欠きまたは貫通孔からなる切欠凹部２１Ａ（２１Ｂ）の場合、フラップ片１５Ａ１・１５Ａ２（１５Ｂ１・１５Ｂ２）からなるフラップ板１５Ａ（１５Ｂ）を二つ折りの二重壁構造としたときに蓋の内面に窪みをつくるものであるが、フラップ板１５Ａ（１５Ｂ）が二つ折り状態にないときには、単なる切り欠きまたは孔の状態を呈するだけである。切り欠きまたは貫通孔あるいは凹みからなる切欠凹部２１Ａ・２１Ｂの形状としては、後述する蓋支持片２２Ａ・２２Ｂの受け入れが可能であるかぎり円形・多角形・異形など任意形状でよいこととなる。この切欠凹部２１Ａ・２１Ｂの典型的一例として図示例の場合は、多角形の代表例として四角形からなる切り欠きがフラップ片１５Ａ２・１５Ｂ２の前方角部・後方角部にそれぞれ形成されている。
【００４５】
図７〜図１０の例における前後一対のフラップ板１５Ｃ・１５Ｄは、長方形をベースにした板状ものであり、かつ、該各フラップ板１５Ｃ・１５Ｄの開閉端部側には、横長凹部１５Ｃ１・１５Ｄ１がそれぞれ形成されている。この場合の横長凹部１５Ｃ１・１５Ｄ１は、フラップ板１５Ｃ・１５Ｄを閉じたときに、前例で述べたと同様の残存開口部１３ａとなるものである。
【００４６】
図７〜図１０の例における左右一対のフラップ板１６Ａ・１６Ｂは、前例と同じく、一つのセンタフラップ片１８Ｘと二つのサイドフラップ片１８Ｙ・１８Ｚとを主体にして構成されたものであるが、つぎの点が前例のものと相違する。その相違点の一つは、両サイドフラップ片１８Ｙ・１８Ｚがこれらの先端部間にわたる連結片１８Ｗを介して互いに連結されていることである。この場合におけるセンタフラップ片１８Ｘ・各サイドフラップ片１８Ｙ・１８Ｚ・連結片１８Ｗについては、フラップ板１６Ａ・１６Ｂの板面にアーチ形・逆溝形・逆凹形などの切り込みを施すことで一挙に形成することができる。この加工手段によるときは、連結片１８Ｗを形成した分だけ、センタフラップ片１８Ｘが各サイドフラップ片１８Ｙ・１８Ｚよりも低くなる。上記相違点の他の一つは、各サイドフラップ片１８Ｙ・１８Ｚの先端部に折り込み自在な蓋支持片２２Ａ・２２Ｂが形成されていることである。両サイドフラップ片１８Ｙ・１８Ｚと各蓋支持片２２Ａ・２２Ｂとの境界部には、両サイドフラップ片１８Ｙ・１８Ｚから該各蓋支持片２２Ａ・２２Ｂを直角に折り曲げるための折り込み線１９ｆが施されており、そこが折り込み箇所となっている。この各蓋支持片２２Ａ・２２Ｂについては、箱を組み立てた際に前記切欠凹部２１Ａ・２１Ｂ内に嵌まり込んでそこに保持されるものであり、それが支持スペーサたるサイドフラップ片１８Ｙ・１８Ｚの安定性に資することとなる。
【００４７】
図７〜図１０に例示された包装用箱１１の折り込み線（折り込み箇所）が図１１に示されている。図１１に示されたものの場合は、図５で説明した各折り込み線１９ａ〜１９ｄに加えて、フラップ片１５Ａ２の折り込み線１９ｅや蓋支持片２２Ａ・２２Ｂの折り込み線１９ｆも有するものである。
【００４８】
図７〜図１０に例示された包装用箱１１の変形例として、連結片１８Ｗが省略されるものがあり、また、蓋支持片２２Ａ・２２Ｂが省略されるものもある。
【００４９】
図７〜図１０に例示された包装用箱１１の場合、その下面開口部１４は、前例に準じて閉じられる。すなわち、センタフラップ片１８Ｘや前後一対のフラップ板１６Ｃ・１６Ｄなど、底蓋となる要素が所定方向に折り込まれることで下面開口部１４が全閉されるのである。一方、連結状態の両サイドフラップ片１８Ｙ・１８Ｚは支持スペーサとして筒状胴体１２内に折り込まれて筒状胴体１２の左右両側壁面と対面するようになり、この対面するものが前例と同様の二重壁構造をなす。この際、両サイドフラップ片１８Ｙ・１８Ｚの蓋支持片２２Ａ・２２Ｂは、上蓋側の切欠凹部２１Ａ・２１Ｂと対応すべく、図示例のように直角に折り曲げられる。
【００５０】
図７〜図１０に例示された包装用箱１１についてその上面開口部１３を閉じるときは、つぎのようになる。はじめは、左右一対のフラップ板１５Ａ・１５Ｂにおけるフラップ片１５Ａ１・１５Ａ２・１５Ｂ１・１５Ｂ２を折り込み線１９ｅにしたがい重ね折りして二重壁構造にする。すなわち、両フラップ片１５Ａ１・１５Ａ２の内面相互や両フラップ片１５Ｂ１・１５Ｂ２の内面相互が面接触するように、これらを重ね折りするのである。このようにして二重壁構造となった各フラップ板１５Ａ・１５Ｂの内面両角部には、所要の切欠凹部２１Ａ・２１Ｂが窪んだ状態で生じることとなる。つぎに、折り込み線１９ａにしたがい二重壁構造の各フラップ板１５Ａ・１５Ｂを上面開口部１３側へ折り込む。この段階で上面開口部１３の左右両側部が閉じられるが、このときの折り込みで上下が反転した切欠凹部２１Ａ・２１Ｂ内には、すでに筒状胴体１２内に折り込まれている両サイドフラップ片１８Ｙ・１８Ｚの蓋支持片２２Ａ・２２Ｂが嵌まり込む。すなわち、両サイドフラップ片１８Ｙ・１８Ｚは、蓋支持片２２Ａ・２２Ｂを切欠凹部２１Ａ・２１Ｂ内に嵌め込んだ状態で各フラップ板（上蓋）１５Ａ・１５Ｂを支持するのである。このあとは、前後一対のフラップ板（上蓋）１５Ｃ・１５Ｄを、折り込み線１９ａにしたがい上面開口部１３側へ折り込む。こうして折り込まれた各フラップ板１５Ｃ・１５Ｄの両端部は、両サイドフラップ片１８Ｙ・１８Ｚで支持されている左右一対のフラップ板１５Ａ・１５Ｂ上に重なる。よって、前後一対のフラップ板１５Ｃ・１５Ｄも両サイドフラップ片１８Ｙ・１８Ｚで支持されることとなる。
【００５１】
図７〜図１０に例示された包装用箱１１の場合、前後一対のフラップ板１５Ｃ・１５Ｄに既述の横長凹部１５Ｃ１・１５Ｄ１が形成されている。したがって、左右一対のフラップ板１５Ａ・１５Ｂや前後一対のフラップ板１５Ｃ・１５Ｄで覆われた上面開口部１３には、横長凹部１５Ｃ１・１５Ｄ１による残存開口部１３ａが生じるものである。
【００５２】
図７〜図１０に例示された包装用箱１１については、上面開口部１３を先行して閉じる（覆う）ようにしてもよいし、また、下面開口部１４を先行して閉じる（覆う）ようにしてもよい。
【００５３】
図７〜図１０に例示された包装用箱１１において、上面開口部１３が左右一対のフラップ板１５Ａ・１５Ｂや前後一対のフラップ板１５Ｃ・１５Ｄで閉じられているときも、残存開口部１３ａを出し入れ口として被包装物を出し入れすることができる。
【００５４】
添付の図面に例示された包装用箱１１は本発明の典型的な各例にすぎないものである。この包装用箱１１に関する他の例として、上面開口部１３と下面開口部１４とのうちのいずれか一方が、一枚ないし二枚のフラップ板で開閉されるものがある。一枚のフラップ板で上面開口部１３または下面開口部１４が開閉される場合、その一枚のフラップ板は箱の開口部を覆うことのできる面積を有しており、かつ、筒状胴体１２の上端縁または下端縁に片開き式に設けられる。二枚のフラップ板で上面開口部１３または下面開口部１４が開閉される場合、その二枚のフラップ板は二枚で箱の開口部を覆うことのできる面積を有しており、かつ、筒状胴体１２の上端縁または下端縁に両開き式に設けられる。さらに他の例として、上面開口部１３または下面開口部１４が開閉できないように蓋で閉ざされているものもある。上面開口部１３と下面開口部１４とのうちの一方にこの各例のような蓋が施されているとき、上面開口部１３と下面開口部１４とのうちの他方は、本発明の課題解決手段（段落００１４）で述べた各構成のうちから適用可能な構成が採用され、それによって開閉されるものである。
【産業上の利用可能性】
【００５５】
本発明に係る厚紙製包装用箱は、強度特性の向上・材料増加の抑制・内部空間の実質的な減少防止・製造の簡易化・コストアップの抑制・構造の複雑化回避・組み立て操作の容易性などを満足させるものであり、野菜をはじめとする各種被包装物の包装手段として有用かつ有益なものである。したがって産業上の利用可能性が十分にある。
【符号の説明】
【００５６】
１１      包装用箱
１２      筒状胴体
１３      上面開口部
１３ａ    残存開口部
１４      下面開口部
１５Ａ    上側のフラップ板（上蓋）
１５Ａ１  フラップ片
１５Ａ２  フラップ片
１５Ｂ    上側のフラップ板（上蓋）
１５Ｂ１  フラップ片
１５Ｂ２  フラップ片
１５Ｃ    上側のフラップ板（上蓋）
１５Ｄ    上側のフラップ板（上蓋）
１６Ａ    下側のフラップ板（底蓋）
１６Ｂ    下側のフラップ板（底蓋）
１６Ｃ    下側のフラップ板（底蓋）
１６Ｄ    下側のフラップ板（底蓋）
１７Ａ    ロック用スリット
１７Ｂ    ロック用スリット
１７Ｃ    ロック片
１７Ｄ    ロック片
１８Ｗ    連結片
１８Ｘ    センタフラップ片
１８Ｙ    サイドフラップ片
１８Ｚ    サイドフラップ片
１９ａ    折り込み線（折り込み箇所）
１９ｂ    折り込み線（折り込み箇所）
１９ｃ    折り込み線（折り込み箇所）
１９ｄ    折り込み線（折り込み箇所）
１９ｅ    折り込み線（折り込み箇所）
１９ｆ    折り込み線（折り込み箇所）
２１Ａ    切欠凹部
２１Ｂ    切欠凹部
２２Ａ    蓋支持片
２２Ｂ    蓋支持片
Ｙ１      支持部
Ｚ１      支持部
Ｙ２      内壁部
Ｚ２      内壁部
Ｙ３      扁平な空間部
Ｚ３      扁平な空間部
Ｐ        内壁部の先端部
【図１】
2015086006.tif 000003
【図２】
2015086006.tif 000004
【図３】
2015086006.tif 000005
【図４】
2015086006.tif 000006
【図５】
2015086006.tif 000007
【図６】
2015086006.tif 000008
【図７】
2015086006.tif 000009
【図８】
2015086006.tif 000010
【図９】
2015086006.tif 000011
【図１０】
2015086006.tif 000012
【図１１】
2015086006.tif 000013